(57)【要約】【課題】表示領域が複数の領域に分割され、領域ごとに光源が配置される表示部を備え、節電と共に光源の長寿命化を実現可能な画像形成装置を提供すること。【解決手段】各光源の累積点灯時間を収集し（Ｓ２１）、累積点灯時間が最短の光源を特定する（Ｓ２２）。特定した光源に対応する領域を、表示領域として選択し（Ｓ２３）、特定された光源を点灯させて、選択された領域に画像を表示させる（Ｓ２４）。特定されなかった他の光源を全て消灯させる（Ｓ２５）。【選択図】図７
2007298878.tif 000002
【特許請求の範囲】
【請求項１】
表示画面が複数の領域に分割され、領域ごとに光源が配されて画像形成に関する画像形成情報を表示するようにした表示部を備える画像形成装置であって、
前記画像形成情報を表示させるべき領域を、各光源の残寿命に関する残寿命情報に基づいて選択する選択手段と、
前記選択手段により選択された領域に対応する光源を点灯させて当該領域に前記画像形成情報を表示させ、選択されなかった領域に対応する光源を消灯させる制御手段と、
を備えることを特徴とする画像形成装置。
【請求項２】
光源ごとに、当該光源が点灯するとその点灯時間を計測し、計測結果から当該光源の累積点灯時間を更新する累積点灯時間算出手段を備え、
前記各光源は、寿命に達するまでの総点灯時間が略同じものであり、
前記残寿命情報は、各光源の累積点灯時間を示す情報であり、
前記選択手段は、
累積点灯時間が最長の光源以外の光源に対応する領域を選択することを特徴とする請求項１に記載の画像形成装置。
【請求項３】
前記選択手段は、
累積点灯時間が最短の光源に対応する領域を選択することを特徴とする請求項２に記載の画像形成装置。
【請求項４】
前記残寿命情報から、寿命に達している光源または寿命に達する時期に近づいている光源を判定する判定手段を備え、
前記制御手段は、
前記判定手段により寿命に達している光源または寿命に達する時期に近づいている光源があることが判定されると、その旨を示すメッセージを前記画像形成情報として表示させることを特徴とする請求項１乃至３のいずれか１項に記載の画像形成装置。
【請求項５】
前記表示画面上には、
ユーザからのタッチ入力を受け付けるタッチパネルが配されており、
前記制御手段は、
前記タッチパネル上において、前記選択されなかった領域に対応する部分のタッチ入力が受け付けられると、タッチ入力が受け付けられた領域に対応する光源を点灯させて当該領域に別の画像形成情報を表示させ、当該領域以外の各領域に対応する光源を消灯させることを特徴とする請求項１乃至４のいずれか１項に記載の画像形成装置。
【請求項６】
前記選択手段は、
前記画像形成情報を第１の画像形成情報としたとき、第１の画像形成情報の次に第２の画像形成情報を表示させる場合に、当該第２の画像形成情報を表示させるべき領域を前記残寿命情報に基づいて選択し、
前記制御手段は、
前記第２の画像形成情報を表示させるべき領域として選択された領域に対応する光源を点灯させて当該領域に前記第２の画像形成情報を表示させ、当該領域以外の各領域に対応する光源を消灯させることを特徴とする請求項１乃至４のいずれか１項に記載の画像形成装置。
【請求項７】
前記第１の画像形成情報から第２の画像形成情報への表示の切り換えが、第１の画像形成情報の表示時間が所定時間を経過したときに実行されることを特徴とする請求項６に記載の画像形成装置。
【請求項８】
表示画面が複数の領域に分割され、領域ごとに光源が配されて画像形成に関する画像形成情報を表示するようにした表示部を備える画像形成装置であって、
第１の画像形成情報が表示されている第１の領域とは別の第２の領域に第２の画像形成情報を表示させる場合に、第１の領域の次に使用すべき領域として予め決められた領域を前記第２の領域として、当該第２の領域に対応する光源を点灯させて第２の画像形成情報を表示させ、当該第２の領域以外の領域に対応する光源を消灯させる制御手段と、
を備えることを特徴とする画像形成装置。
【請求項９】
前記第１と第２の画像形成情報が、装置状態を表す同じ内容の情報であることを特徴とする請求項８に記載の画像形成装置。
【請求項１０】
前記表示画面は、液晶表示画面であり、
前記光源それぞれは、分割された液晶表示領域の背面を照射するバックライトであることを特徴とする請求項１乃至９のいずれか１項に記載の画像形成装置。
【発明の詳細な説明】
【技術分野】
【０００１】
本発明は、複数の光源を有する表示部を備える画像形成装置に関し、特に光源の長寿命化を図る技術の改良に関する。
【背景技術】
【０００２】
複写機、ファクシミリなどの画像形成装置は、コピー可能である旨のメッセージや各種機能の設定をタッチ入力で受け付けるキーなどを表示する、タッチパネル式の液晶表示パネルなどの表示装置を備えているものが多い。
このような表示装置として、特許文献１に、液晶表示パネルの表示領域を２つの領域に分割すると共に、第１の領域に第１のバックライト（光源）を、第２の領域に第２の光源をそれぞれ対応させて配置し、第１と第２の両方の光源を点灯して全表示領域を使ってメッセージや各種キーなどの多くの情報を表示させる第１のモードと、第２の光源だけを点灯させて第２の領域に必要最小限の情報のみを表示させる第２のモードを切り換えることが可能なものが開示されている。
【０００３】
この構成によれば、第２のモードに切り換えることで第２の光源の消灯により節電を図れ、ユーザにとっては第１のモードのときよりも情報量が少なくなるが必要最小限の情報を得ることができる。
【特許文献１】特開２００５−２４２２０１号公報
【発明の開示】
【発明が解決しようとする課題】
【０００４】
しかしながら、特許文献１の構成では、第１の光源は、常時点灯し、第２の光源は、点灯と消灯が切り換えられるので、長期間の使用により、各光源の点灯時間に大きな差が生じ、第１の光源の方が早く寿命に達してしまう。そうなると、第２の光源がまだ使用できる状態にあっても、表示装置自体は本来の表示機能を実行できないことから、早期の交換をせざるをえなくなる。
【０００５】
本発明は、上記の問題点に鑑みてなされたものであって、表示領域が複数の領域に分割され、領域ごとに光源が配置される表示部を備える構成であって、節電と共に光源の長寿命化を実現可能な画像形成装置を提供することを目的としている。
【課題を解決するための手段】
【０００６】
上記目的を達成するため、本発明に係る画像形成装置は、表示画面が複数の領域に分割され、領域ごとに光源が配されて画像形成に関する画像形成情報を表示するようにした表示部を備える画像形成装置であって、前記画像形成情報を表示させるべき領域を、各光源の残寿命に関する残寿命情報に基づいて選択する選択手段と、前記選択手段により選択された領域に対応する光源を点灯させて当該領域に前記画像形成情報を表示させ、選択されなかった領域に対応する光源を消灯させる制御手段と、を備えることを特徴とする。
【発明の効果】
【０００７】
このように、残寿命情報に基づいて画像形成情報を表示させるべき領域を選択するので、各光源の平均的な使用が可能になり、特定の光源が常時点灯するため早期に寿命に達してしまうといったことの防止を図ることが可能になる。
また、光源ごとに、当該光源が点灯するとその点灯時間を計測し、計測結果から当該光源の累積点灯時間を更新する累積点灯時間算出手段を備え、前記各光源は、寿命に達するまでの総点灯時間が略同じものであり、前記残寿命情報は、各光源の累積点灯時間を示す情報であり、前記選択手段は、累積点灯時間が最長の光源以外の光源に対応する領域を選択することを特徴とする。
【０００８】
このようにすれば、各光源の平均的な使用が可能になる。
さらに、前記選択手段は、累積点灯時間が最短の光源に対応する領域を選択することを特徴とする。
このようにすれば、各光源のさらなる平均的な使用が可能になる。
また、前記残寿命情報から、寿命に達している光源または寿命に達する時期に近づいている光源を判定する判定手段を備え、前記制御手段は、前記判定手段により寿命に達している光源または寿命に達する時期に近づいている光源があることが判定されると、その旨を示すメッセージを前記画像形成情報として表示させることを特徴とする。
【０００９】
このようにすれば、ユーザは、光源の寿命について知ることができるようになる。
さらに、前記表示画面上には、ユーザからのタッチ入力を受け付けるタッチパネルが配されており、前記制御手段は、前記タッチパネル上において、前記選択されなかった領域に対応する部分のタッチ入力が受け付けられると、タッチ入力が受け付けられた領域に対応する光源を点灯させて当該領域に別の画像形成情報を表示させ、当該領域以外の各領域に対応する光源を消灯させることを特徴とする。
【００１０】
このようにすれば、直前に表示されていた領域の情報をタッチするだけで確認することが可能になる。
また、前記選択手段は、前記画像形成情報を第１の画像形成情報としたとき、第１の画像形成情報の次に第２の画像形成情報を表示させる場合に、当該第２の画像形成情報を表示させるべき領域を前記残寿命情報に基づいて選択し、前記制御手段は、前記第２の画像形成情報を表示させるべき領域として選択された領域に対応する光源を点灯させて当該領域に前記第２の画像形成情報を表示させ、当該領域以外の各領域に対応する光源を消灯させることを特徴とする。
【００１１】
このようにすれば、画像形成情報を切り換えて表示させる場合に、各光源の平均的な使用が可能になる。
ここで、前記第１の画像形成情報から第２の画像形成情報への表示の切り換えが、第１の画像形成情報の表示時間が所定時間を経過したときに実行されることを特徴とする。
このようにすれば、画像形成情報の切り換えを自動的に実行できるようになる。
【００１２】
本発明は、表示画面が複数の領域に分割され、領域ごとに光源が配されて画像形成に関する画像形成情報を表示するようにした表示部を備える画像形成装置であって、第１の画像形成情報が表示されている第１の領域とは別の第２の領域に第２の画像形成情報を表示させる場合に、第１の領域の次に使用すべき領域として予め決められた領域を前記第２の領域として、当該第２の領域に対応する光源を点灯させて第２の画像形成情報を表示させ、当該第２の領域以外の領域に対応する光源を消灯させる制御手段と、を備えることを特徴とする。
【００１３】
このように、第１の領域に次に使用すべき領域として第１とは別の第２の領域を予め決めておくことで、各光源の平均的な使用が可能になり、特定の光源が常時点灯するため早期に寿命に達してしまうといったことの防止を図ることが可能になる。
また、前記第１と第２の画像形成情報が、装置状態を表す同じ内容の情報であることを特徴とする。
【００１４】
このようにすれば、同じ情報を各領域に切り換えて表示できるようになる。
さらに、前記表示画面は、液晶表示画面であり、前記光源それぞれは、分割された液晶表示領域の背面を照射するバックライトであることを特徴とする。
このようにすれば、液晶表示装置に適用可能になる。
【発明を実施するための最良の形態】
【００１５】
以下、本発明に係る画像形成装置の実施の形態を、カラーデジタル複写機（以下、単に「複写機」という。）を例にして説明する。
（第１の実施の形態）
図１は、本実施の形態に係る複写機１の全体の構成を示す図である。
同図に示すように、複写機１は、原稿搬送部２、スキャナ部３、プリンタ部４、制御部５および操作パネル６などを備えている。
【００１６】
複写機１は、原稿の画像を読み取るスキャンジョブ、読み取って得られた画像データに基づいて原稿画像を印刷（プリント）するコピージョブ、外部の端末装置からの印刷の実行指示をネットワーク、ここではＬＡＮを介して受け付けて印刷を行うプリントジョブ等の各種ジョブを実行する機能を有する、いわゆる多機能カラーデジタル複写機（Multiple Function Peripheral）である。
【００１７】
原稿搬送部２は、セットされた原稿を１枚ずつスキャナ部３に搬送する公知の原稿搬送装置（Auto Document Feeder）である。
スキャナ部３は、原稿搬送部２により搬送されて来る原稿の画像を読み取って画像データを得る。
プリンタ部４は、周知の電子写真技術を利用して、スキャナ部３によって得られた画像データや外部の端末装置からのプリントジョブのデータに基づいて用紙上にカラー画像を形成する。プリンタ部４には、記録シートとして異なるサイズの用紙が収容される給紙カセット７〜９が配置されている。プリンタ部４は、選択された給紙カセットから用紙を給送させ、給送された用紙にカラー画像を形成する。プリント終了後の用紙は、排出トレイ１０上に収容される。
【００１８】
なお、複写機１は、用紙の片面側にだけ画像形成を行う片面コピー、および用紙の両面に画像形成を行う両面コピーが行える構成になっている。
操作パネル６は、スキャナ部３の前面の、ユーザが操作し易い位置に配設されている。
図２は、操作パネル６の構成を示す平面図である。
同図に示すように、操作パネル６は、キー群１１と液晶表示部１２を備えている。
【００１９】
キー群１１には、スキャンモードキー２１、コピーモードキー２２、テンキー２３、スタートキー２４、ストップキー２５、リセットキー２６、クリアキー２７、ＩＤキー２８、カウンタキー２９および節電キー３０が含まれている。
スキャンモードキー２１は、スキャンジョブの実行モードへの移行を指示するためのキーであり、コピーモードキー２２は、コピージョブの実行モードへの移行を指示するためのキーである。テンキー２３は、コピー枚数等の入力用のキーであり、スタートキー２４は、コピージョブ等の開始を指示するためのキーである。
【００２０】
ストップキー２５は、コピー動作等の中断を指示するためのキーであり、リセットキー２６は、液晶表示部１２に表示される画面を初期画面に戻すためのキーである。クリアキー２７は、入力されたコピー枚数等の値をゼロに戻すためのキーである。
ＩＤキー２８は、保存されている機密データをプリントする際に、暗証番号の入力画面を液晶表示部１２に表示させるために用いられるキーである。入力された番号が予め登録された暗証番号と一致していなければプリントが許可されないようになっており、この機能は、データの内容を他人に見られることを防止するときに利用される。
【００２１】
カウンタキー２９は、複写機１の累積複写枚数やカラーによる複写枚数などの枚数情報を液晶表示部１２に表示させるためのキーである。
節電キー３０は、通常のコピー可能な状態（通常モード）から、複写機１内のヒータ（不図示）等への電力供給を停止または低減してコピー不可の状態（節電モード）に移行させるため、および節電モードを解除して通常モードへ移行させるためのキーである。
【００２２】
表示部としての液晶表示部１２は、液晶表示画面１３の表面に透光性のタッチパネル１４が積層されており、コピー枚数や複写機１の状態を示すメッセージやユーザからの各種設定入力を受け付けるための画面などを、画像形成に関する画像形成情報として表示させ、ユーザによる画面へのタッチをユーザの入力として受け付けて、その入力情報を制御部５に送る。
【００２３】
液晶表示画面１３は、複数個、ここでは９個の領域３１〜３９に等分割されており、領域３１〜３９ごとに、当該領域の背面に光を照射させるためのバックライト（光源）４１〜４９（図３参照）が配置されている。例えば、領域３１に対し光源４１が、領域３９に対し光源４９がそれぞれ対向配置される。
光源４１〜４９は、対応する領域３１〜３９と略同サイズであり、面発光を行う、例えば有機ＥＬ（エレクトロルミネッセンス）方式のバックライトが用いられ、対応する領域だけに光が照射される。ここでは、光源４１〜４９は、寿命に達するまでの総点灯時間が略同じ仕様のものが配置される。
【００２４】
図３は、制御部５の構成を示す図である。
同図に示すように、制御部５は、主な構成要素として、通信インターフェース（Ｉ／Ｆ）部５１、ＣＰＵ５２、ＲＯＭ５３、ＲＡＭ５４、メモリ５５および使用量情報記憶部５６を備えている。
通信Ｉ／Ｆ部５１は、ＬＡＮカード、ＬＡＮボードといったＬＡＮに接続するためのインターフェースである。
【００２５】
ＣＰＵ５２は、ＲＯＭ５３から必要なプログラムを読み出して、プリンタ部４等の動作をタイミングを取りながら統一的に制御して円滑な複写等の動作を実行させる。また、タッチパネル１４からの入力情報を受け付ける。さらに、各光源の累積点灯時間を求める累積点灯時間算出処理を実行する。この処理の詳細については後述する。
そして、液晶表示画面１３の表示制御処理を実行する。具体的には、液晶表示画面１３の画像表示を領域ごとに実行する。例えば、液晶表示画面１３の全面に画像を表示させる場合には、領域３１〜３９に当該画像が表示されるように画像信号を送ると共に、全ての光源４１〜４９に点灯信号を送って点灯させる。
【００２６】
また、例えば１つの領域だけに画像を表示させる場合には、当該１つの領域に当該画像が表示されるように画像信号を送ると共に当該１つの領域に対応する光源を点灯させ、他の全領域の光源を消灯させて節電を行う。この場合、当該１つの領域は、各光源の累積点灯時間に応じて領域３１〜３９の中から選択される。特定の領域だけが集中して使用されないようにするためである。
【００２７】
ＲＯＭ５３には、スキャナ部３における原稿読取動作、プリンタ部４におけるプリント動作等に関する制御プログラム、液晶表示画面１３の表示制御処理および累積点灯時間算出処理のためのプログラム等が格納されている。
ＲＡＭ５４は、ＣＰＵ５２のプログラム実行時のワークエリアとして用いられる。
メモリ５５は、画像メモリ５５１とバッファメモリ５５２を備えている。画像メモリ５５１には、例えば外部の端末装置からのプリントジョブのデータが格納される。バッファメモリ５５２には、例えばスキャナ部３で読み取って得られた画像データがプリンタ部４に送られる前に一時的に格納される。
【００２８】
使用量情報記憶部５６には、各光源の累積点灯時間を示す情報（以下、「使用量情報」という。）が記憶されている。
図４は、使用量情報が格納されているテーブル５６１の内容を示す図である。同図に示すように、テーブル５６１には、光源４１〜４９ごとに累積点灯時間が対応付けされた情報が書き込まれている。この累積点灯時間は、累積点灯時間算出処理において算出され、当該テーブル５６１に書き込まれる。
【００２９】
図５は、累積点灯時間算出処理の内容を示すフローチャートである。この処理は、光源４１〜４９ごとに別々に実行される。ここでは、光源４１の場合を例に説明する。
同図に示すように、光源４１の点灯が開始されたか否かを判断する（ステップＳ１１）。光源４１の点灯は、領域３１への画像表示が開始されたことを意味する。
点灯を判断すると（ステップＳ１１で「ＹＥＳ」）、ＣＰＵ５２に内蔵されるタイマ５２１のうち、光源３１用のタイマのカウントをスタートさせる（ステップＳ１２）。
【００３０】
光源４１が消灯したか否かを判断する（ステップＳ１３）。光源４１の消灯は、領域３１への表示が終了したことを意味する。
消灯を判断すると（ステップＳ１３で「ＹＥＳ」）、動作させていたタイマのカウントを停止させ（ステップＳ１４）、光源４１の現在の累積点灯時間をテーブル５６１から読み出し、読み出した時間に、タイマのカウント値を加算し（ステップＳ１５）、加算後の値を新たな累積点灯時間として、テーブル５６１内の光源４１に対応する累積点灯時間欄に書き込んで、累積点灯時間を更新する（ステップＳ１６）。
【００３１】
停止させていたタイマをリセットして（ステップＳ１７）、ステップＳ１１に戻る。光源４１が再度点灯されると、ステップＳ１２〜Ｓ１７の処理を繰り返し実行し、累積点灯時間を更新して行く。他の光源４２〜４９についても同様の処理が行われ、累積点灯時間が更新される。累積点灯時間は、光源が寿命に達すると想定されるまでの総点灯時間に対する割合としてとらえることができるので、その意味で光源の残り寿命（残寿命）に関する情報を意味するものといえる。
【００３２】
次に、１つの領域に画像を表示させる場合に実行される表示制御処理の内容を、図６〜図１０を用いて説明する。ここで、図６は、コピーモードキー２２が押下されたときのコピーモード設定画面１００の例を示す図である。コピーモード設定画面１００では、コピーモードの設定として、基本設定、集約／原稿、画質／濃度、応用設定の４つのタブが表示され、いずれかのタブをタッチすると、タッチされたタブに係る設定項目を示す画面が表示されるようになっている。同図は、基本設定タブがタッチされた場合の画面の例であり、領域３７〜３９には、何も表示されておらず、光源４７〜４９が消灯している状態になっていることを示している。以下、光源が消灯している領域を判り易くするため、図面上ではグレー色で表わすこととする。
【００３３】
ユーザは、カラー、用紙、倍率の各キー１０１〜１０３などをタッチすることで倍率などを設定することができる。例えば、倍率キー１０３がタッチされると、制御部５は、倍率設定画面を表示させるべき領域を選択し、選択した領域に倍率設定表示画面（画像形成情報）を表示させる表示制御処理を実行する。
図７は、表示制御処理の内容を示すフローチャートである。
【００３４】
同図に示すように、各光源の累積点灯時間を収集する（ステップＳ２１）。ここでは、テーブル５６１に書き込まれている各光源の累積点灯時間を示すデータが読み出される。現時点（倍率キー１０３がタッチされた時点）で累積点灯時間が最短の光源を特定する（ステップＳ２２）。ここでは、光源４７が特定されたとする。光源４１〜４９は、上記のように寿命までの総点灯時間が略同じものなので、累積点灯時間が最短の光源とは、残寿命が最長のものということができる。なお、累積点灯時間が同じ光源が複数あり、これらが最短の光源に相当する場合には、いずれか１つが特定される。
【００３５】
特定された光源に対応する領域を表示領域として選択する（ステップＳ２３）。ここでは、領域３７が選択される。
特定された光源４７を点灯させると共に、選択された領域３７に倍率設定画面１０４が表示されるように画像信号を液晶表示部１２に送って、領域３７に倍率設定画面１０４を表示させる（ステップＳ２４）。そして、特定されなかった光源、ここでは、光源４７を除く各光源４１〜４６、４８、４９を消灯させて（ステップＳ２５）、当該処理を終了する。
【００３６】
図８は、倍率設定画面１０４に切り換わり、倍率設定画面１０４が領域３７に表示され、他の領域が全て消灯している場合の例を示す図である。
ユーザは、倍率設定画面１０４におけるズームキー１０５等をタッチすることで、ズーム設定などの各種設定を行うことができる。
例えば、ズームキー１０５がタッチされると、制御部５は、上記の表示制御処理を実行して、ズーム設定画面（別の画像形成情報）を表示させるべき領域を選択し、選択した領域にズーム設定画面を表示させる。
【００３７】
図９は、ズーム設定画面１０６の表示例を示す図である。同図に示すようにズーム設定画面１０６が領域３８に表示され、他の領域が全て消灯している。同図は、ズームキー１０５がタッチされた時点で累積点灯時間が最短の光源が光源４８であった場合の例を示していることになる。
ユーザは、ズーム設定画面１０６における連動ズームキー１０７等をタッチすることで、連動ズームなどの設定を行うことができる。
【００３８】
例えば、連動ズームキー１０７がタッチされると、制御部５は、上記の表示制御処理を実行して、連動ズーム設定画面（さらに別の画像形成情報）を表示させるべき領域を選択し、選択した領域に連動ズーム設定画面を表示させる。
図１０は、連動ズーム設定画面１０８の表示例を示す図である。同図に示すように、連動ズーム設定画面１０８が領域３９に表示され、他の領域が全て消灯している。連動ズームキー１０７がタッチされた時点で累積点灯時間が最短の光源が光源４９であった場合の例ということになる。
【００３９】
このように画像形成情報の表示の際に、各領域のうち、光源の累積点灯時間が最短の領域を選択するので、特定の光源が常時点灯するため早期に寿命に達してしまい、本来の表示機能が早期に失われるといったことを防止することが可能になる。
また、選択された領域以外の領域の光源を消灯させるので、節電を図りつつ、ユーザには、選択された領域に表示されている画像だけが目視可能になる。従って、他の領域の画像も一緒に表示させるとした場合に他の領域の画像に注意が惹かれるといったことが生ぜず、画像形成情報を認識し易くなり、もって操作性の向上を図れる。
【００４０】
なお、上記では、１つの領域に画像形成情報を表示させる場合の例を説明したが、これに限られない。例えば、隣接する２つの領域を使用する場合には、光源の累積点灯時間が最短の領域を一方の領域とし、当該最短の領域に隣接する領域のうち、最も累積点灯時間が短い領域を他方の領域とすることができる。
また、例えば横一列の３つの領域を使用して表示を行う場合であれば、領域３１〜３３の組、領域３４〜３６の組、領域３７〜３９の組について、累積点灯時間が最短の光源が含まれる組を選択するとしたり、組毎に３つの光源の累積点灯時間を加算したときの値が最短の組を選択したりするとしても良い。
【００４１】
さらに、消灯している領域がユーザによりタッチされると、タッチされた領域に元の画面を再表示させるとしても良い。
図１１は、領域３７に倍率設定画面１０４が、領域３８にズーム設定画面１０６が再表示されている例を示す図である。このような表示制御を行えば、ユーザは元の画面を再確認することでき、使い勝手が良くなる。
【００４２】
また、画像形成情報としては、上記の倍率設定画面１０４等に限られないことはいうまでもない。例えば、図１２に示すようにＩＤキー２８が押下されたときに表示されるＩＤ入力受付画面１０９、図１３に示すようにカウンタキー２９が押下されたときに表示されるカウンタ表示画面１１０、図１４に示すようにトナー交換の時期が近いことを示すメッセージ画面１１１などについて、これら画面を表示させるときに上記同様の方法で表示領域を選択することで、上記した本発明の効果を同様に得ることができる。
【００４３】
さらに、光源の使用量情報を管理しているので、例えば寿命に達するまでの総点灯時間として想定される時間を予め実験等から決めて、現在の累積点灯時間が、総点灯時間の所定割合、例えば９５％などに達したときに寿命に近づいたとする方法をとれば、寿命が近い光源を判定することができる。
そこで、図１５に示すように、寿命に近づいている光源が判定されると、その旨を示すメッセージ画面１１２を画像形成情報として上記の制御方法を用いて表示させることで、ユーザに警告を発し、寿命に到達する前に交換等の作業を行えるようにして、寿命に近づくことによる輝度の低下のためにユーザの操作に支障を来たすといった事態を回避することができる。また、寿命に達している光源がある場合にもその旨を示すメッセージ画面を表示させるとしても良い。
【００４４】
（第２の実施の形態）
上記実施の形態では、いずれかのキーがタッチ（押下）されると、当該キーの機能を実行するための画像形成情報を表示させる領域を光源の使用量情報に応じて選択するとしたが、本実施の形態では、キーのタッチに関わらず、ある情報を時間経過に連れて１つの領域から別の領域に切り換えて表示させるとしており、この点が第１の実施の形態と異なっている。以下、説明の都合上、第１の実施の形態と同じ内容についてはその説明を省略し、同じ構成要素については、同符号を付すものとする。
【００４５】
図１６は、節電モードに移行している間に、節電中である旨のメッセージ画面１１３が液晶表示画面１３に表示されている例を示す図である。同図では、メッセージ画面１１３が画像形成情報として領域３７に表示されている場合を例示している。
本実施の形態では、メッセージ画面１１３が所定時間経過ごとに別の領域に切り換わって表示されるようになっており、切り換えるべき別の領域は、次に示す表示制御処理により選択される。
【００４６】
図１７は、当該表示制御処理の内容を示すフローチャートである。当該処理は、節電モードに移行したときに実行される。
同図に示すように、ステップＳ２１〜Ｓ２５については、第１の実施の形態における表示制御処理と同じであるが、ステップＳ２５以降にＳ３１〜Ｓ３４を実行するとしており、この点が異なっている。
【００４７】
すなわち、ステップＳ２４、Ｓ２５において、選択された領域（ここでは、領域３７とする。）にメッセージ画面１１３が表示され、他の領域の光源が消灯されると、ステップＳ３１において、光源４７の点灯時間の計測を開始する。この計測は、例えばＣＰＵ５２に内蔵するタイマ５２１とは別のタイマ（不図示）により実行される。
節電モードが継続中であることを判断すると（ステップＳ３２で「ＹＥＳ」）、点灯時間が所定値以上であるか否かを判断する（ステップＳ３３）。ここで、所定値とは、例えば６０秒とすることができる。
【００４８】
タイマのカウントが進み点灯時間が所定値以上になったことを判断すると（ステップＳ３３で「ＹＥＳ」）、点灯している光源とは別の光源のうち、現時点で累積点灯時間が最短の光源を特定し（ステップＳ３４）、ステップＳ２３に戻る。ここでは、例えば光源４２が特定されるとする。
ステップＳ２３では、特定された光源、ここでは光源４２に対応する領域３２を表示領域として選択する。そして、ステップＳ２４で光源４２を点灯させて領域３２にメッセージ画面１１３を表示させ、ステップＳ２５で光源４７を含む他の光源を消灯させて、ステップＳ３１以降の処理を繰り返し実行する。
【００４９】
図１８は、メッセージ画面１１３の表示が領域３７から領域３２に切り換わり、領域３２以外の領域の光源が消灯している場合の例を示す図である。
節電モードが継続中であれば、メッセージ画面１１３が、自動的に所定時間経過ごとに、その時点で累積点灯時間が最短の光源に対応する領域に切り換わって表示されるようになる。なお、節電モードが解除されたことを判断すると（ステップＳ３２で「ＮＯ」）、当該処理を終了する。
【００５０】
このようにメッセージ画面１１３を所定時間ごとに各領域に切り換えて表示させることにより、各光源がより平均的に使用されることになり、特定の光源に使用が集中し早期に寿命に達してしまうといったことを防止できる。
上記では、節電モードにおけるメッセージ画面１１３の表示例を説明したが、これに限られないことはいうまでもない。
【００５１】
例えば、コピーモードにおいて最適サイズの用紙が収容されていないときにユーザに対し当該用紙の収容を要求するメッセージ画面を表示させる場合があり、このような場合に、図１９に示すように当該メッセージ画面１１４を画像形成情報として上記同様の表示制御を行うことで、各光源を平均的に使用できるという上記同様の効果を得られる。
（第３の実施の形態）
上記実施の形態では、光源の使用量情報に応じて表示領域を選択するとしたが、本実施の形態では、使用量情報に応じておらず、この点が上記実施の形態と異なっている。
【００５２】
すなわち、図８に示す倍率設定画面１０４、図９に示すズーム設定画面１０６、図１０に示す連動ズーム設定画面１０８のように液晶表示画面１３の全域よりも小さい画像形成情報を順次各領域に切り換えて表示させる場合に、これらを同じ領域に表示させず、例えば切り換えごとに隣の領域に渡すように各情報を表示させて行く構成をとることで、常に同じ領域に表示させるとするとするよりも、各光源を平均的に使用できることになる。
【００５３】
図２０は、本実施の形態に係る表示制御処理の内容を示すフローチャートである。
同図に示すように、まず変数Ｎの値を読み出す（ステップＳ４１）。ここで、変数Ｎとは、領域３１〜３９の１桁目の番号１〜９に対応する数値である。例えば、Ｎ＝１は、領域３１に対応し、Ｎ＝９は、領域３９に対応しているという意味で用いられる。
変数Ｎの値を示すデータは、後述のステップＳ４９においてメモリ等の記憶手段（不図示）に記憶されるので、ステップＳ４１では、当該記憶手段に記憶されているデータが読み出される。ここでは、Ｎ＝７として説明する。
【００５４】
そして、変数Ｎ、ここでは「７」に対応する領域３７に、表示させるべき画像形成情報、例えば倍率設定画面１０４を表示させる（ステップＳ４２）。この場合、上記の図８に示す画面と同じ状態になる。
画面上においてユーザによるキーのタッチ入力があったか否かを判断する（ステップＳ４３）。ここで、タッチ入力があったことを判断すると（ステップＳ４３で「ＹＥＳ」）、タッチされたキーが「戻る」キーであるか否かを判断する（ステップＳ４４）。この「戻る」キーとは、例えば図８に示す「元に戻る」キーに相当する。
【００５５】
戻るキーではないことを判断すると（ステップＳ４４で「ＮＯ」）、現在のＮの値が「９」であるか否かを判断する（ステップＳ４５）。Ｎ＝９ではないことを判断すると（ステップＳ４５で「ＮＯ」）、現在のＮの値に「１」をインクリメントして（ステップＳ４６）、ステップＳ４８に移る。上記例では、Ｎ＝８になる。
一方、Ｎ＝９であることを判断すると（ステップＳ４５で「ＹＥＳ」）、Ｎの値を「１」に設定して（ステップＳ４７）、ステップＳ４８に移る。
【００５６】
ステップＳ４８では、タッチされたキーが「終了」キーであるか否かを判断する。この「終了」キーとは、例えば図１０に示す「ＯＫ」や「キャンセル」キーに相当する。
終了キーではないことを判断すると（ステップＳ４８で「ＮＯ」）、ステップＳ４２に戻る。
ステップＳ４２では、現に表示されている画像形成情報、上記例では倍率設定画面１０４を消去して、現在のＮの値、例えば「８」に対応する領域３８に、次に表示させるべき情報、例えばズーム設定画面１０６を切り換えて表示させる。この場合、上記の図９に示す画面と同じ状態になる。
【００５７】
ユーザによりタッチ入力され（ステップＳ４３で「ＹＥＳ」）、タッチ入力されたキーが戻るキーでない場合には（ステップＳ４４で「ＮＯ」）、上記同様にステップＳ４５〜Ｓ４８の処理が実行される。ここで、終了キーでない場合には（ステップＳ４８で「ＮＯ」）、ステップＳ４２に戻る。
ステップＳ４２では、現に表示されている画像形成情報、上記例ではズーム設定画面１０６を消去して、現在のＮの値、例えば「９」に対応する領域３９に、次に表示させるべき情報、例えば連動ズーム設定画面１０８を切り換えて表示させる。この場合、上記の図１０に示す画面と同じ状態になる。
【００５８】
一方、ステップＳ４４で、戻るキーであることを判断すると（ステップＳ４４で「ＹＥＳ」）、現在のＮの値が「１」であるか否かを判断する（ステップＳ５０）。Ｎ＝１ではないことを判断すると（ステップＳ５０で「ＮＯ」）、現在のＮの値から「１」をデクリメントして（ステップＳ５１）、ステップＳ４２に戻る。例えば、デクリメント後のＮの値が「７」になったとする。
【００５９】
ステップＳ４２では、現に表示されている画像形成情報、例えばズーム設定画面１０６を消去して、現在のＮの値、例えば「７」に対応する領域３７に、直前に表示させていた情報、例えば倍率設定画面１０４を切り換えて表示させる。この場合、上記の図８に示す画面と同じ状態に戻ることになる。
ステップＳ５０でＮ＝１であることを判断すると（ステップＳ５０で「ＹＥＳ」）、Ｎの値を「９」に設定して（ステップＳ５２）、ステップＳ４２に戻る。
【００６０】
ステップＳ４２では、現に表示されている画像形成情報を消去して、現在のＮの値「９」に対応する領域３９に、直前に表示させていた画像形成情報を切り換えて表示させる。
ステップＳ４８で終了キーであることを判断すると（ステップＳ４８で「ＹＥＳ」）、液晶表示画面１３を初期状態に切り換えた後、現在の変数Ｎの値を示すデータを不図示の記憶手段に記憶させて（ステップＳ４９）、当該処理を終了する。
【００６１】
記憶されるＮの値は、ステップＳ４５〜Ｓ４７の処理により、現に表示されている領域の隣の領域に対応する数値になるので、次に表示制御処理が実行される際には、ステップＳ４１で当該記憶されているＮの値が読み出され、ステップＳ４２で当該Ｎの値に対応する領域から表示が開始される。従って、前回の表示制御処理で選択された領域とは異なる領域が選択されて画像形成情報の表示が行われるので、各光源がより平均的に使用されることになる。
【００６２】
上記では、タッチ入力がある毎に、表示させるべき領域を領域３１、３２・・３９、３１、３２・・・の順（昇順）に切り換えるとしたが、切り換える順は、これに限られない。特定の領域（光源）だけが使用されるのを避けることができれば良く、例えば昇順の逆の降順としたり、領域３９、３８・・３１、３２・・３９、３８・・３１・・の順としたりすることができる。また、隣接する条件でなくても、例えばランダムに領域を切り換えるとしても良い。
【００６３】
なお、本発明は、表示部を備える画像形成装置に限られず、上記表示制御方法であるとしてもよい。さらに、その方法をコンピュータが実行するプログラムであるとしてもよい。また、本発明に係るプログラムは、例えば磁気テープ、フレキシブルディスク等の磁気ディスク、ＤＶＤ−ＲＯＭ、ＤＶＤ−ＲＡＭ、ＣＤ−ＲＯＭ、ＣＤ−Ｒ、ＭＯ、ＰＤなどの光記録媒体、フラッシュメモリ系記録媒体等、コンピュータ読み取り可能な各種記録媒体に記録することが可能であり、当該記録媒体の形態で生産、譲渡等がなされる場合もあるし、プログラムの形態でインターネットを含む有線、無線の各種ネットワーク、放送、電気通信回線、衛星通信等を介して伝送、供給される場合もある。
【００６４】
また、本発明に係るプログラムは、上記に説明した処理をコンピュータに実行させるための全てのモジュールを含んでいる必要はなく、例えば通信プログラムやオペレーティングシステム（ＯＳ）に含まれるプログラムなど、別途情報処理装置にインストールすることができる各種汎用的なプログラムを利用して、本発明の各処理をコンピュータに実行させるようにしても良い。従って、上記した本発明の記録媒体に必ずしも上記全てのモジュールを記録している必要はないし、また必ずしも全てのモジュールを伝送する必要もない。さらに所定の処理を専用ハードウェアを利用して実行させるようにすることができる場合もある。
【００６５】
（変形例）
以上、本発明を実施の形態に基づいて説明してきたが、本発明は、上述の実施の形態に限定されないのは勿論であり、以下のような変形例が考えられる。
（１）上記実施の形態では、光源の累積点灯時間を残寿命に関する情報とした場合の例を説明したが、光源の過去の使用量（光源の残寿命）を指標するものであれば、累積点灯時間に限られない。例えば、光源の累積使用回数、光源の使用率（累積点灯時間／寿命までの総点灯時間）などとすることができる。
【００６６】
（２）上記実施の形態では、光源４１〜４９として略同じ寿命のものを用いるとしたが、これに限られず、異なる寿命のものを用いるとしても良い。この場合、表示制御処理におけるステップＳ２２では、累積点灯時間の最短の光源を特定することに代えて、残寿命の最長の光源を特定するという処理になる。例えば、光源４１の寿命までの総点灯時間をＴ１、光源４２〜４９の寿命までの総点灯時間をＴ２（＜Ｔ１）としたとき、仮にある時点での光源４１〜４９の累積点灯時間が全てｔ１であったとすると、光源４１が残寿命の最長の光源ということになる。従って、ステップＳ２２では、光源４１が残寿命の最長の光源として特定されることになる。
【００６７】
また、残寿命が最長のもの（第１の実施の形態では、累積点灯時間が最短のもの）を特定する構成に限られず、例えば２番目のものを特定するとしても、長期的に見ると特定の光源だけが集中して使用されるといったことを回避できる。この意味で、例えば残寿命が最短の光源（累積点灯時間が最長の光源）以外の光源のいずれかを特定するとすれば、ある程度の効果を得られるであろう。
【００６８】
（３）上記実施の形態では、本発明の画像形成装置をカラーデジタル複写機に適用した場合の構成例を説明したが、表示部を備える画像形成装置であれば、これに限定されず、例えばプリンタ、スキャナ、ＦＡＸ、ＭＦＰ（Multiple Function Peripheral）等の画像形成装置一般に適用できる。
また、表示部としては、タッチパネルの有無に関わらず、表示画面が複数の領域に分割され、領域ごとに当該領域に画像形成情報を表示させるための光源が配置される構成であれば、領域の数が９個に限られないことはいうまでもなく、光源も上記有機ＥＬ方式のものに限られず、さらに表示方式も液晶表示方式に限られない。
【００６９】
また、上記実施の形態及び上記変形例をそれぞれ組み合わせるとしても良い。
【産業上の利用可能性】
【００７０】
本発明は、表示部を有する画像形成装置に広く適用することができる。
【図面の簡単な説明】
【００７１】
【図１】第１の実施の形態に係る複写機１の全体の構成を示す図である。
【図２】複写機１の操作パネル６の構成を示す平面図である。
【図３】複写機１の制御部５の構成を示す図である。
【図４】制御部５に設けられているテーブル５６１の内容を示す図である。
【図５】制御部５が実行する累積点灯時間算出処理の内容を示すフローチャートである。
【図６】操作パネル６のコピーモードキー２２が押下されたときに表示されるコピーモード設定画面１００の例を示す図である。
【図７】制御部５が実行する表示制御処理の内容を示すフローチャートである。
【図８】倍率設定画面１０４の表示例を示す図である。
【図９】ズーム設定画面１０６の表示例を示す図である。
【図１０】連動ズーム設定画面１０８の表示例を示す図である。
【図１１】液晶表示画面１３の領域３７に倍率設定画面１０４が、領域３８にズーム設定画面１０６が再表示されている例を示す図である。
【図１２】ＩＤ入力受付画面１０９の表示例を示す図である。
【図１３】カウンタ表示画面１１０の表示例を示す図である。
【図１４】メッセージ画面１１１の表示例を示す図である。
【図１５】メッセージ画面１１２の表示例を示す図である。
【図１６】第２の実施の形態におけるメッセージ画面１１３の表示例を示す図である。
【図１７】第２の実施の形態に係る表示制御処理の内容を示すフローチャートである。
【図１８】メッセージ画面１１３の表示が領域３７から領域３２に切り換わった場合の例を示す図である。
【図１９】メッセージ画面１１４の表示例を示す図である。
【図２０】第３の実施の形態に係る表示制御処理の内容を示すフローチャートである。
【符号の説明】
【００７２】
１      複写機
５      制御部
６      操作パネル
１２      液晶表示部
１３      液晶表示画面
３１〜３９      領域
４１〜４９      光源
５６      使用量情報記憶部
１０４      倍率設定画面
１０６      ズーム設定画面
１０８      連動ズーム設定画面
１０９      ＩＤ入力受付画面
１１１〜１１４      メッセージ画面
【図１】
2007298878.tif 000003
【図３】
2007298878.tif 000004
【図４】
2007298878.tif 000005
【図５】
2007298878.tif 000006
【図７】
2007298878.tif 000007
【図１７】
2007298878.tif 000008
【図２０】
2007298878.tif 000009
【図２】
2007298878.tif 000010
【図６】
2007298878.tif 000011
【図８】
2007298878.tif 000012
【図９】
2007298878.tif 000013
【図１０】
2007298878.tif 000014
【図１１】
2007298878.tif 000015
【図１２】
2007298878.tif 000016
【図１３】
2007298878.tif 000017
【図１４】
2007298878.tif 000018
【図１５】
2007298878.tif 000019
【図１６】
2007298878.tif 000020
【図１８】
2007298878.tif 000021
【図１９】
2007298878.tif 000022